(57)【特許請求の範囲】
【請求項１】
吸気口から本体ケース内に吸い込んだ空気を浄化して排気口から本体ケース外に吹き出す空気清浄機において、本体ケースの外郭は、正面カバーと背面カバーと側面カバーを含み、これら各カバーに夫々前記吸気口を形成し、前記本体ケース内は、仕切板によって前後に区画され、前記仕切板の背面側に、ファンケーシングと背面カバーとで囲繞されるファンを配備し、背面カバーに設けた前記吸気口は、ファンケーシング外側に位置して形成され、前記仕切板には、背面カバーに形成された前記吸気口と正面カバーに形成された前記吸気口とを連通する連通孔が形成され、前記側面カバーには前記連通孔に係止する係止爪を形成したことを特徴とする空気清浄機。
【請求項２】
前記本体ケースには手が掛けられる凹部が形成され、該凹部には本体ケース内を介して前記吸気口と連通する孔が形成されていることを特徴とする請求項１に記載の空気清浄機。
【発明の詳細な説明】
【０００１】
【発明の属する技術分野】
本発明は、吸気口から本体ケース内に吸い込んだ空気を浄化して排気口から本体ケース外に排気する空気清浄機に関する。
【０００２】
【従来の技術】
従来の空気清浄機は、特開２０００−８８３２４号公報（Ｆ２４Ｆ１１／０２）に、送風機の駆動により本体ケースの正面側に形成された吸気口から部屋の空気を吸い込み、この吸い込まれた部屋の空気を本体ケース内の集塵フィルタで浄化して本体ケースの上面に形成された排気口から部屋内へ再び吹き出すものが知られている。
【０００３】
このような空気清浄機は、壁や家具等の障害物に吸気口を面して設置した際、吸気口が障害物に近い状態になり空気が流入しにくくなって使用上好ましくない。従って、設置する場所が規制され、使い勝手が悪くなっていた。
【０００４】
【発明が解決しようとする課題】
本発明は、様々な場所に設置でき、使い勝手を向上できる空気清浄機を提供することを課題とする。
【０００５】
【課題を解決するための手段】
上記課題を解決するための手段は、吸気口から本体ケース内に吸い込んだ空気を浄化して排気口から本体ケース外に吹き出す空気清浄機において、本体ケースの外郭は、正面カバーと背面カバーと側面カバーを含み、これら各カバーに夫々前記吸気口を形成し、前記本体ケース内は、仕切板によって前後に区画され、前記仕切板の背面側に、ファンケーシングと背面カバーとで囲繞されるファンを配備し、背面カバーに設けた前記吸気口は、ファンケーシング外側に位置して形成され、前記仕切板には、背面カバーに形成された前記吸気口と正面カバーに形成された前記吸気口とを連通する連通孔が形成され、前記側面カバーには前記連通孔に係止する係止爪を形成したものである。
【０００６】
これにより、本体ケースの正面、背面及び側面から本体ケース内に設置された部屋の空気を吸い込んで浄化できるので、壁や家具等の障害物が近くにあって例えば本体ケースの正面側が障害物に近い状態になり、本体ケースの正面側から吸気しにくくなっても、本体ケースの側面側や背面側から吸気することができる。従って、障害物が近くにあるような場所でも規制を受けずに使用でき、使い勝手を向上できる。
【００１２】
また、前記仕切板には、背面カバーに形成された吸気口と正面カバーに形成された吸気口とを連通する連通孔が形成され、この連通孔に側面カバーに形成した係止爪を係止しているので、連通孔を利用して側面カバーを仕切板に取り付けることができる。
【００１７】
また、前記本体ケースには手が掛けられる凹部が形成され、この凹部には本体ケース内を介して前記吸気口と連通する孔が形成されているものである。
【００１８】
これにより、搬送時に凹部に手を掛けて搬送できると共に、この凹部に形成した孔からも本体ケース内に本体ケース外の空気を取り入れることができる。
【００１９】
【発明の実施の形態】
図１乃至図８に本発明の実施の形態を示し、以下、これらの図に基づき説明する。
【００２０】
１は空気清浄機で、外郭を形成する本体ケース２は図２に示すように水平断面が左右方向に長い矩形状に形成され、正面及び背面は両端側に向かうに従い互いの間隔が狭くなるよう円弧状に形成されている。この本体ケース２は、図１に示すように表示部３と格子状の排気口４が形成され上方側を覆う上カバー５と、正面側を覆う正面カバー６と、背面側を覆う背面カバー７と、側面側を覆う左右の側面カバー８とで構成されている。
【００２１】
正面カバー６はほぼ全体にわたって縦方向に鎧戸状の吸気孔９ａが形成されており、下部には図３に示すように係止爪１０が形成されている。
【００２２】
背面カバー７は、図２に示すようにほぼ全体が凹凸面１２となっており、その外側に縦方向に形成された凹部１１が前記正面カバー６の吸気孔９ａに対応する。また、図５に示すように後述するファンケーシング２９の外側に縦方向の鎧戸状の複数の吸気孔９ｂが形成されている。また、背面カバー７の裏面には、ファンケーシング２９の端部に当接する渦巻き状のリブ１３と、この渦巻き状のリブ１３の内側で舌部１３ａ近傍に位置する円弧状のリブ１４が形成されている。この円弧状のリブ１４は図２に示すように後述するファン２８外径よりも外側に位置し、凹凸面１２の裏面側への突出量ｈよりも高く形成されている。
【００２３】
また、背面カバー７の上部には図５に示すように渦巻き状のリブ１３の外側に位置して手掛凹部１５が形成されており、この手掛凹部１５に手を掛けることで空気清浄機１を搬送できる。この手掛凹部１５には本体ケース２の内外を連通する孔１６が形成されており、この孔１６から本体ケース２内に本体ケース２外の空気が取り入れられる。
【００２４】
側面カバー８は図２及び図４に示すように円弧状で上下対称に形成され、図１に示すようにほぼ全体にわたって縦方向に鎧戸状の吸気孔９ｃが形成されており、この吸気孔９ｃと正面カバー６の吸気孔９ａと背面カバー７の吸気孔９ｂとで吸気口９を構成する。この側面カバー８の裏面には図２及び図８に示すように本体ケース２の側面に直交し、後述する仕切板２１のリブ３５に当接する補強リブ１７が上下複数箇所に形成されている。また、側面カバー８の背面側には図７に示すように係止爪１８が形成され、正面側にはネジ１９が挿入される取付穴２０が形成されている。
【００２５】
２１は本体ケース２内を前後に区画する仕切板で、図３に示すように下部に本体ケース２を支持する脚２２が形成され、脚２２の前方側には正面カバー６の係止爪１０が係止される係止孔２３が形成されている。
【００２６】
また、脚２２からは立設部２４が立設しており、この立設部２４にて本体ケース２内を前後に区画する。この立設部２４の略中央に多数の孔２５が形成されており、この孔２５を介して仕切板２１の前後の空間を連通する。
【００２７】
立設部２４の前方側にはフィルタ収納部２６が一体に形成されており、このフィルタ収納部２６にフィルタ２７が着脱自在に収納される。このフィルタ２７は空気中の塵埃を集塵すると共に臭気成分を除去する。
【００２８】
一方、立設部２４の背面側には、排気口４に連通し、ファン２８の側方を囲繞するファンケーシング２９が形成されており、ファンケーシング２９と背面カバー７の裏面及び渦巻き状のリブ１３でファン２８を囲繞する。
【００２９】
３０はファン２８を駆動するモータで、樹脂製のケース３０ａで覆われており、このケース３０ａの一端側からファン２８が取り付けられる駆動軸３１を突出している。このモータ３０の一端側にはケース３０ａの外形より大きな円板３２が取り付けられており、この円板３２を介して立設部２４に取り付けられると共に、モータ３０の他端側はカバー３３で覆われる。
【００３０】
これらの円板３２とカバー３３は鉄板により形成されており、モータ３０内で生じた磁気が正面側又は背面側へ漏洩するのを防止している。また、円板３２と成型前のカバー３３の外形形状は同一に形成されており、一枚の板等から同じ金型で打ち抜いて形成できるようにしている。これにより、円板３２とカバー３３の外形を形成する金型を共通化して金型費用の削減を行うことができる。
【００３１】
仕切板２１の左右両側には図２、図７及び図８に示すようにファンケーシング２９の外側に位置して複数の連通孔３４が形成されており、この連通孔３４により背面カバー７の吸気孔９ｂを正面カバー６の吸気孔９ａ及び側面カバー８の吸気孔９ｃと連通させる。この連通孔３４には側面カバー８に形成された係止爪１８が係止される。側面カバー８は、補強リブ１７を仕切板２１に形成したリブ３５に当接した状態でネジ１９により仕切板２１に取り付けられる。これにより、連通孔３４を利用して側面カバー８を仕切板２１に取り付けることができる。
【００３２】
上記構成の空気清浄機は、上述の如く吸気口９を鎧戸状の吸気孔９で構成することで、吸気口９を通して本体ケース２内を見えにくくすることができる。また、背面カバー７に、凹部１１を正面カバー６の吸気孔９に対応させることで、本体ケース２の正面側の外観と背面側の外観とをほぼ同じにすることができ、外観を向上できる。
【００３３】
そして、本体ケース２の外郭を、上カバー５と、正面カバー６、背面カバー７と側面カバー８で構成したことで、本体ケース２の正面、背面及び側面に鎧戸状の吸気孔９ａ、９ｂ、９ｃで構成された吸気口９を容易に形成できる。
【００３４】
また、背面カバー７に形成された吸気孔９ｂをファンケーシング２９の外側に形成したことで、背面カバー７にも吸気孔９ｂを容易に形成できる。
【００３５】
また、側面カバー８を上下対称としたことで、両側の側面カバー８を共通な部品とすることができ、金型を共通化でき、金型費用を低減できる。
【００３６】
ところで、ファン２８を駆動すると部屋の空気が正面カバー６の吸気孔９ａから本体ケース２内に吸い込まれると共に、側面カバー８の吸気孔９ｃから補強リブ１７に案内されて本体ケース２内に吸い込まれ、更に背面カバー７の吸気孔９ｂから本体ケース２内に吸い込まれる。背面カバー７の吸気孔９ｂから吸い込まれた空気は連通孔３４を介して本体ケース２の仕切板２１より前方側に流入し、側面カバー８の吸気孔９ｃから吸い込まれた空気と共に仕切板２１に形成されたリブ３５に案内されて前方側に流れる。そして、正面カバー６の吸気孔９ａから吸い込まれた空気と共にフィルタ２７を通過して空気中の塵埃と臭気成分が除去され、ファンケーシング２９内に流入し、ファンケーシング２９に案内されて排気口４から部屋内に戻される。
【００３７】
背面カバー７には上述の如くファンケーシング２９の内側に位置して円弧状のリブ１４が形成されているので、凹凸面１２が形成された背面カバー７の裏面に沿って空気が侵入するのを阻止することができる。これにより、凹凸面１２で空気の流れが乱れて静圧が不安定になり、風量が減少したり雑音が発生したりするのを防止できる。
【００３８】
このリブ１４は渦巻き状のリブ１３の舌部１３ａに対応するファンケーシング２９の舌部の近傍に位置しているので、最も流速の速いファンケーシング２９の舌部近傍において凹凸面１２が形成された背面カバー７の裏面に沿って空気が流れ込むのを阻止することができ、風量が減少したり雑音が発生したりするのを効果的に防止できる。
【００３９】
また、上述の如く、側面カバー８に本体ケース２の側面に直交し、仕切板２１のリブ３５に当接する補強リブ１７を形成したことで、側面カバー８を補強できると共に、補強リブ１７を利用して側面カバー８の吸気孔９ｃから吸い込まれた空気を案内できる。
【００４０】
この空気清浄機１を設置する場合、設置する場所によっては壁や家具等の障害物に本体ケース２の正面や側面や背面を向けて設置する場合がある。上述の如く、吸気口９を本体ケース２の正面カバー６や側面カバー８や背面カバー７に形成したことで、障害物が例えば本体ケース２の正面側に近接する状態で設置されて本体ケース２の正面側の吸気孔９ａが閉塞に近い状態になり空気が流入しにくくなっても、本体ケース２の側面の吸気孔９ｃや背面側の吸気孔９ｂから本体ケース２内に空気を取り入れることができる。従って、障害物があるような場所に設置しても吸気口９全体が塞がれることがなく、様々な箇所に設置でき、使い勝手を向上できる。
【００４１】
また、モータ３０のケース３０ａの前後に鉄製の円板３２とカバー３３を取り付けたことで、ケース３０ａを樹脂製としてもモータ３０で生じる磁力を円板３２とカバー３３で遮ることができ、本体ケース２の正面又は側面をパソコンのモニター等に近づけて置いてもモニターに影響を与えることなく設置できる。
【００４２】
尚、上記実施の形態では、背面カバー７に渦巻き状のリブ１３の内側に位置して円弧状のリブ１４を形成したが、円筒状のリブを形成してもよい。
【００４３】
また、円弧状のリブ１４をファン２８外径の外側に位置させたが、ファン２８の外径近傍に位置させてもよい。
【００４４】
【発明の効果】
本発明の請求項１によれば、本体ケースの正面、背面及び側面から空気を本体ケース内に吸い込んで部屋の空気を浄化できるので、壁や家具等の障害物に近接させても使用でき、設置場所が制限されることがなく、使い勝手を向上できる。また、背面カバーの吸気孔と正面カバーの吸気孔とを連通する連通孔を利用して側面カバーを仕切板に取り付けることができる。
【００５０】
本発明の請求項２によれば、搬送時に凹部に手を掛けて搬送できると共に、この凹部に形成した孔からも本体ケース内に本体ケース外の空気を取り入れることができる。
【図面の簡単な説明】
【図１】本発明の実施の形態を示す空気清浄機の斜視図である。
【図２】同空気清浄機の平面断面図である。
【図３】同空気清浄機の側面断面図である。
【図４】同空気清浄機の側面図である。
【図５】同空気清浄機の背面カバーを裏面側から見た図である。
【図６】同空気清浄機の背面カバーを背面側から見た図である。
【図７】同空気清浄機の側面カバー近傍の詳細図である。
【図８】図２におけるＸ−Ｘ断面図である。
【符号の説明】
２            本体ケース
４            排気口
６            正面カバー
７            背面カバー
８            側面カバー
９            吸気口
９ａ          正面カバーの吸気孔
９ｂ          背面カバーの吸気孔
９ｃ          側面カバーの吸気孔
１５            手掛凹部
１６            手掛凹部の孔
１７            補強リブ
１８            係止爪
２１            仕切板
２８            ファン
２９            ファンケーシング
３４            連通孔
【図１】
0004326168.tif 000002
【図２】
0004326168.tif 000003
【図３】
0004326168.tif 000004
【図４】
0004326168.tif 000005
【図５】
0004326168.tif 000006
【図６】
0004326168.tif 000007
【図７】
0004326168.tif 000008
【図８】
0004326168.tif 000009